【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】画像形成・紙折りシステム
【手続補正２】
【補正対象書類名】明細書
【補正対象項目名】特許請求の範囲
【補正方法】変更
【補正の内容】
【特許請求の範囲】
【請求項１】  画像入力手段から送られる広幅および長尺の画像情報を記録紙に画像形成して排紙する画像形成手段と、前記画像形成手段上であらかじめ指示される紙折り条件にしたがって紙折りし、排紙部に排紙する紙折り機と、を相互通信可能に接続した画像形成・紙折りシステムにおいて、
前記画像形成手段および前記紙折り機の排紙近傍に設けられ、ストック限界時に当該画像形成の再開を指示するリスタート指示手段と、
ストック限界の場合に、当該画像形成を中断させ、ストック限界が解除され、かつ前記リスタート指示手段によりリスタートの指示があった場合に当該画像形成を再開するように制御する画像形成制御手段と、
を備えたことを特徴とする画像形成・紙折りシステム。
【請求項２】  前記画像形成制御手段は、ストック限界に達した場合に前記リスタート指示手段の入力操作を促すメッセージまたは（および）報知音を出力させることを特徴とする請求項１に記載の画像形成・紙折りシステム。
【請求項３】  前記リスタート指示手段は、ソフトキーで構成され、リスタート入力が可能なとき以外は、表示状態を変更し、入力不可とすることを特徴とする請求項１または２に記載の画像形成・紙折りシステム。
【請求項４】  さらに、前記紙折り機の排紙部に、紙折り済みの記録紙のストック状態を検知し、前記画像形成制御手段に出力するストック検知手段を備え、
前記画像形成制御手段は、前記ストック検知手段の検知信号がストック限界である場合、当該画像形成を中断し、そのストック限界が解除されなければ前記リスタート指示手段の入力を無効にすることを特徴とする請求項１、２または３に記載の画像形成・紙折りシステム。
【請求項５】  前記画像形成制御手段は、前記ストック検知手段の検知信号がストック限界で、画像形成を中断した後、前記ストック検知手段によるストック限界の状態が解除された場合、自動的に当該画像形成を再開することを特徴とする請求項４に記載の画像形成・紙折りシステム。
【手続補正３】
【補正対象書類名】明細書
【補正対象項目名】０００１
【補正方法】変更
【補正の内容】
【０００１】
【発明の属する技術分野】
本発明は、広幅のロール紙あるいは大判の記録紙に画像を形成する複写機などの画像形成装置および当該装置から排紙される記録紙を自動的に所定のモードで紙折りを行なう紙折り機を備え、特に、複写機（スキャナ）の操作部と紙折り機とが離れており、紙折り機の排紙部が満杯時にも操作性を向上させる画像形成・紙折りシステムに関する。
【手続補正４】
【補正対象書類名】明細書
【補正対象項目名】０００５
【補正方法】変更
【補正の内容】
【０００５】
本発明は、上記に鑑みてなされたものであって、画像形成装置の操作部と紙折り機の排紙部とが離れている画像形成・紙折りシステムにおいて、紙折りモード時にユーザーの移動量を最小限にし、紙折り出力の向上を図ることを目的とする。
【手続補正５】
【補正対象書類名】明細書
【補正対象項目名】０００６
【補正方法】変更
【補正の内容】
【０００６】
【課題を解決するための手段】
上記の目的を達成するために、請求項１にかかる画像形成・紙折りシステムにあっては、画像入力手段から送られる広幅および長尺の画像情報を記録紙に画像形成して排紙する画像形成手段と、前記画像形成手段上であらかじめ指示される紙折り条件にしたがって紙折りし、排紙部に排紙する紙折り機と、を相互通信可能に接続した画像形成・紙折りシステムにおいて、前記画像形成手段および前記紙折り機の排紙近傍に設けられ、ストック限界時に当該画像形成の再開を指示するリスタート指示手段と、ストック限界の場合に、当該画像形成を中断させ、ストック限界が解除され、かつ前記リスタート指示手段によりリスタートの指示があった場合に当該画像形成を再開するように制御する画像形成制御手段と、を備えたものである。
【手続補正６】
【補正対象書類名】明細書
【補正対象項目名】０００８
【補正方法】変更
【補正の内容】
【０００８】
また、請求項２にかかる画像形成・紙折りシステムにあっては、前記画像形成制御手段は、ストック限界に達した場合に前記リスタート指示手段の入力操作を促すメッセージまたは（および）報知音を出力させるものである。
【手続補正７】
【補正対象書類名】明細書
【補正対象項目名】００１０
【補正方法】変更
【補正の内容】
【００１０】
また、請求項３にかかる画像形成・紙折りシステムにあっては、前記リスタート指示手段は、ソフトキーで構成され、リスタート入力が可能なとき以外は、表示状態を変更し、入力不可とするものである。
【手続補正８】
【補正対象書類名】明細書
【補正対象項目名】００１２
【補正方法】変更
【補正の内容】
【００１２】
また、請求項４にかかる画像形成・紙折りシステムにあっては、さらに、前記紙折り機の排紙部に、紙折り済みの記録紙のストック状態を検知し、前記画像形成制御手段に出力するストック検知手段を備え、前記画像形成制御手段は、前記ストック検知手段の検知信号がストック限界である場合、当該画像形成を中断し、そのストック限界が解除されなければ前記リスタート指示手段の入力を無効にするものである。
【手続補正９】
【補正対象書類名】明細書
【補正対象項目名】００１４
【補正方法】変更
【補正の内容】
【００１４】
また、請求項５にかかる画像形成・紙折りシステムにあっては、前記画像形成制御手段は、前記ストック検知手段の検知信号がストック限界で、画像形成を中断した後、前記ストック検知手段によるストック限界の状態が解除された場合、自動的に当該画像形成を再開するものである。
【手続補正１０】
【補正対象書類名】明細書
【補正対象項目名】００１６
【補正方法】変更
【補正の内容】
【００１６】
【発明の実施の形態】
以下、本発明にかかる画像形成・紙折りシステムの好適な実施の形態について添付図面を参照し、詳細に説明する。なお、本発明はこの実施の形態に限定されるものではない。
【手続補正１１】
【補正対象書類名】明細書
【補正対象項目名】００３６
【補正方法】変更
【補正の内容】
【００３６】
ステップＳ３７において、プリンタ１１０からの動作データを受信していないならば、リスタート入力があるかを判断し（ステップＳ３９）、リスタート入力があったならば、リスタート入力を無効にし（ステップＳ４０）、プリンタ１１０へのリスタート要求を通知し（ステップＳ４１）、ステップＳ３１に進み、以降の動作を実行する。ステップＳ３９において、リスタート入力がない場合にはステップＳ３７に戻る。また、ステップＳ３４において、最終用紙であるならば、その紙折り動作を終了する。
【手続補正１２】
【補正対象書類名】明細書
【補正対象項目名】００４５
【補正方法】変更
【補正の内容】
【００４５】
【発明の効果】
以上説明したように、本発明にかかる画像形成・紙折りシステム（請求項１）によれば、複写機などの画像形成装置および紙折り機の排紙近傍に、当該画像形成の再開を指示するリスタート指示手段を設け、ストック限界の場合に、当該画像形成を中断させ、ストック限界が解除され、かつリスタート指示手段によりリスタートの指示があった場合に当該画像形成を再開するようすることにより、ユーザーがストック限界の記録紙を取り除いた後に複写機側に移動することなくその複写動作を再開することが可能になるため、最小限のユーザーの移動量で済み、しかもリスタート操作が迅速に行なえるので、その効率も向上する。
【手続補正１３】
【補正対象書類名】明細書
【補正対象項目名】００４６
【補正方法】変更
【補正の内容】
【００４６】
また、本発明にかかる画像形成・紙折りシステム（請求項２）によれば、請求項１において、ストック限界に達した場合にリスタート指示手段の入力操作を促すメッセージまたは（および）報知音を出力させることにより、ユーザーが迅速なリスタートを行なうことが可能になるため、リスタート時の操作性を向上させることができる。
【手続補正１４】
【補正対象書類名】明細書
【補正対象項目名】００４７
【補正方法】変更
【補正の内容】
【００４７】
また、本発明にかかる画像形成・紙折りシステム（請求項３）によれば、請求項１または２において、リスタート指示手段が、ソフトキーで構成され、リスタート入力が可能なとき以外は、表示状態を変更し、入力不可とすることにより、リスタートが必要なときのみ操作可能になるため、リスタート入力の用途が分かりやすくなり、その結果、ユーザーによる的確な操作が期待できる。
【手続補正１５】
【補正対象書類名】明細書
【補正対象項目名】００４８
【補正方法】変更
【補正の内容】
【００４８】
また、本発明にかかる画像形成・紙折りシステム（請求項４）によれば、請求項１、２または３において、ストック検知手段の検知信号がストック限界である場合、当該画像形成を中断し、そのストック限界が解除されなければリスタート指示手段の入力を無効にするので、操作ミスによりストック枚数以上の記録紙をストックするといった事態を回避することができる。また、始めから他の記録紙が置かれていたり、記録紙を取り除く際に取り残した場合であっても、継続してコピーを行ない、ストック限界に達したときにコピーを中断するため、これらのミスに起因するストック限界量を超えるということも回避できる。
【手続補正１６】
【補正対象書類名】明細書
【補正対象項目名】００４９
【補正方法】変更
【補正の内容】
【００４９】
また、本発明にかかる画像形成・紙折りシステム（請求項５）によれば、請求項４において、ストック検知手段の検知信号がストック限界で、画像形成を中断した後、ストック検知手段によるストック限界の状態が解除された場合、自動的に当該画像形成を再開することにより、リスタートのためのキー操作が不要になるため、さらにユーザーの手間を減らすことができる。